(57)【要約】【課題】水を給水タンクに補充する際に、火傷の危険性がなく、火傷の危険性をユーザーに警告するラベルが必要ない加熱調理器を提供すること。【解決手段】蒸気調理器本体１の加熱室１０の開口９に隣接する位置に、水タンク挿入部１１を設ける。給水タンク３の奥行き方向において、給水タンク３における水タンク挿入部１１への挿入側とは反対側、かつ、鉛直方向の上方に、把持部である開口部を設ける。給水タンク３が水タンク挿入部１１に装着された状態で、給水タンク３の側面および底面と、蒸気調理器本体１との間に、人間の指が入る隙間がないようにする。【選択図】図１
2011085301.tif 000002
【特許請求の範囲】
【請求項１】
被加熱物を出し入れする開口を有する加熱室と、上記開口に隣接して位置する水タンク挿入部とを有する加熱調理器本体と、
上記開口を開閉する扉と、
上記水タンク挿入部に出し入れ可能である給水タンクと
を備え、
上記給水タンクは、上記給水タンクの奥行き方向において、上記給水タンクの上記水タンク挿入部への挿入側とは反対側、かつ、鉛直方向の上方に、把持部を有し、
上記給水タンクが上記水タンク挿入部に装着された状態で、上記給水タンクの上面と、上記加熱調理器本体との間に人間の指が入る隙間を有する一方、上記給水タンクの側面および上記給水タンクの底面と、上記加熱調理器本体との間には、人間の指が入る隙間がないことを特徴とする加熱調理器。
【請求項２】
請求項１に記載の加熱調理器において、
上記給水タンクが上記水タンク挿入部に装着された状態で、上記加熱調理器本体の前面と、上記給水タンクの前面とは、略面一な状態であることを特徴とする加熱調理器。
【請求項３】
請求項１または２に記載の加熱調理器において、
上記把持部は、上記給水タンクの上方に開口する開口部であることを特徴とする加熱調理器。
【請求項４】
請求項３に記載の加熱調理器において、
上記開口部内に位置する仕切り板部を有し、
上記仕切り板部は、スリットを有し、かつ、上記仕切り板部は、スリットに向けて下方に傾斜していることを特徴とする加熱調理器。
【請求項５】
上記スリットは、略上記奥行き方向に延在していることを特徴とする加熱調理器。
【発明の詳細な説明】
【技術分野】
【０００１】
本発明は、蒸気調理器等の加熱調理器に関する。
【背景技術】
【０００２】
従来、加熱調理機としては、特開２００５−１５５９９８号公報に記載されているものがある。
【０００３】
この加熱調理器は、調理を行う加熱室の開口に隣接する箇所に、給水タンク収容室の開口を備え、給水タンクが、その給水タンク収容室に出し入れ可能に収容されるようになっている。この加熱調理器は、給水タンク収容室の上記開口の下方に、ボタンを有し、このボタンを押圧すると、加熱調理器に装着されている給水タンクの一端側の端部が、加熱調理器本体から飛び出た状態になるようになっている。そして、この飛び出た端部を、つかんで引き出すことにより、給水タンクを、加熱調理器本体から取り出すようになっている。
【０００４】
上記加熱調理器では、給水タンクの上記飛び出た端部をつかむ際、手が、料理の取り出し等の理由により、本体部から外部に突出している加熱トレイや、料理等に、近接したり、接触することがある。そして、この場合に、火傷の危険性がある。
【０００５】
また、この加熱調理器は、火傷の危険性があるから、この危険性をユーザーに警告するためのラベルの使用が必要不可欠であり、ラベルの費用が必要で、かつ、ラベルによって、美観が損なわれるという課題がある。
【先行技術文献】
【特許文献】
【０００６】
【特許文献１】特開２００５−１５５９９８号公報
【発明の概要】
【発明が解決しようとする課題】
【０００７】
そこで、本発明の課題は、水を給水タンクに補充する際に、火傷の危険性がなく、火傷の危険性をユーザーに警告するラベルが必要ない加熱調理器を提供することにある。
【課題を解決するための手段】
【０００８】
上記課題を解決するため、この発明の加熱調理器は、
被加熱物を出し入れする開口を有する加熱室と、上記開口に隣接して位置する水タンク挿入部とを有する加熱調理器本体と、
上記開口を開閉する扉と、
上記水タンク挿入部に出し入れ可能である給水タンクと
を備え、
上記給水タンクは、上記給水タンクの奥行き方向において、上記給水タンクの上記水タンク挿入部への挿入側とは反対側、かつ、鉛直方向の上方に、把持部を有し、
上記給水タンクが上記水タンク挿入部に装着された状態で、上記給水タンクの上面と、上記加熱調理器本体との間に人間の指が入る隙間を有する一方、上記給水タンクの側面および上記給水タンクの底面と、上記加熱調理器本体との間には、人間の指が入る隙間がないことを特徴としている。
【０００９】
尚、この明細書では、高い、低い、上部、上方、低部、前方等の、鉛直方向や、水平方向に関する表現を使用した場合、それは、加熱調理器が、水平面に載置される使用時における表現であるものとする。
【００１０】
本発明によれば、給水タンクが、給水タンクの前方かつ上方に、把持部を有し、かつ、給水タンクが水タンク挿入部に装着された状態で、給水タンクの側面および底面と、加熱調理器本体との間に、人間の指が入る隙間がないから、加熱調理器の連続運転において、給水タンクに水を補充しなければならない状態になったとしても、人が給水タンクの低部を掴むことがない。したがって、手が、低部にある高熱のトレイや料理に接触する可能性がなく、給水タンクへの水補充時において、加熱調理器本体から給水タンクを引き抜く際に、手が火傷する可能性がない。
【００１１】
また、本発明によれば、手が火傷する心配がないから、火傷の危険性をユーザーに警告する必要がない。したがって、火傷の危険性をユーザーに警告するラベルを省略できるから、製造コストを低減できて、美観も、優れたものにすることができる。
【００１２】
また、一実施形態では、
上記給水タンクが上記水タンク挿入部に装着された状態で、上記加熱調理器本体の前面と、上記給水タンクの前面とは、略面一な状態である。
【００１３】
上記実施形態によれば、給水タンクが水タンク挿入部に装着された状態で、加熱調理器本体の前面と、給水タンクの前面とが、略面一な状態であるから、給水タンクの水タンク挿入部への装着時において、給水タンクの前方部が、加熱調理器本体から前方側に突出することがなくて、人が給水タンクの前方部をつかむことがない。したがって、手の火傷を更に確実に防止することができる。
【００１４】
また、上記実施形態によれば、給水タンクが水タンク挿入部に装着された状態で、加熱調理器本体の前面と、給水タンクの前面とが、略面一な状態であるから、給水タンクの装着時に、給水タンクの前面が、加熱調理器本体の前面よりも加熱調理器本体の後側にある場合よりも、給水タンクがつかみ易くなる。
【００１５】
また、上記実施形態によれば、給水タンクの水タンク挿入部への装着時において、給水タンクの前方部が、水タンク挿入部から突出することがないから、加熱調理器の美観が損なわれることがない。
【００１６】
また、一実施形態では、
上記把持部は、上記給水タンクの上方に開口する開口部である。
【００１７】
上記実施形態によれば、上記把持部は、上記給水タンクの上方に開口する開口部であるから、把持部を簡単安価に製造することでき、かつ、給水タンクをコンパクトに構成することができる。また、給水タンクをつかむ際に、手の甲が、横を向いたり、下を向くことがなくて、手の甲が上を向いた状態になるから、手の火傷を更に確実に防止することができる。
【００１８】
また、一実施形態では、
上記開口部内に位置する仕切り板部を有し、
上記仕切り板部は、スリットを有し、かつ、上記仕切り板部は、スリットに向けて下方に傾斜している。
【００１９】
上記実施形態によれば、開口部内に仕切り板部が存在しているから、人が開口部に手を挿入したときに、手が、仕切り板部よりも下方に嵌り込むことがなく、手の怪我を防止できる。
【００２０】
また、上記実施形態によれば、上記仕切り板部が、スリットに向けて下方に傾斜しているから、上記開口部に入り込んだ水を、上記スリットを通じて、上記開口部の底部側に流出させることができる。したがって、仕切り板部の上面に水が存在することがないから、給水タンクをつかんだ際に、手が水で濡れることを抑制できる。
【００２１】
また、一実施形態では、
上記スリットは、略上記奥行き方向に延在している。
【００２２】
上記実施形態によれば、スリットが、略上記奥行き方向に延在しているから、スリットが、給水タンクの幅方向に延在している場合と異なり、手がスリットに嵌り込む可能性が格段に小さなものになる。したがって、手の怪我を防止できる。
【発明の効果】
【００２３】
本発明の加熱調理器によれば、給水タンクが、給水タンクの前方かつ上方に、把持部を有し、かつ、給水タンクが水タンク挿入部に装着された状態で、給水タンクの側面および底面と、加熱調理器本体との間に、人間の指が入る隙間がないから、給水タンクに水を補充しなければならない状態になったとしても、人が給水タンクの低部を掴むことがない。したがって、手が、低部にある高熱のトレイや料理に接触する可能性がなく、手が火傷する可能性がない。
【００２４】
また、本発明の加熱調理器によれば、手が火傷する心配がないから、火傷の危険性をユーザーに警告する必要がない。したがって、火傷の危険性をユーザーに警告する表示機能を省略できて、製造コストを低減できる。
【図面の簡単な説明】
【００２５】
【図１】本発明の加熱調理器の一実施形態の蒸気調理器を示す斜視図である。
【図２】上記蒸気調理器を上方から見たときの平面図である。
【図３】水タンク挿入部に、給水タンクが挿入された状態における蒸気調理器本体を、前方側から見たときの模式図である。
【図４】給水タンクを一方の側方側から見たときの図である。
【図５】給水タンクを上方から見たときの図である。
【図６】給水タンクを、図４に矢印Ｂで示す後方側から見たときの図である。
【図７】給水タンクを給水タンクの前方から見たときの図である。
【図８】変形例の給水タンクを示す図である。
【発明を実施するための形態】
【００２６】
以下、本発明を図示の形態により詳細に説明する。
【００２７】
図１は、本発明の加熱調理器の一実施形態の蒸気調理器を示す斜視図である。
【００２８】
この蒸気調理器は、加熱調理器本体としての蒸気調理器本体１と、扉２と、給水タンク３とを備え、蒸気調理器本体１は、加熱室１０と、水タンク挿入部１１とを有する。
【００２９】
上記加熱室１０は、扉２で開閉される開口９を正面側に有している。上記加熱室１０の側面、底面および天面は、ステンレス鋼板からなっている。被加熱物は、加熱室１０の開口９を通して、加熱室１０に出し入れされるようになっている。上記加熱室１０の周囲には、断熱材（図示せず）が配置されている。このようにして、加熱室１０内と、外部とを断熱している。
【００３０】
上記水タンク挿入部１１は、加熱調理器本体１の前部側に開口する凹部であり、その凹部は、蒸気調理器本体１の前後方向（奥行き方向）に延在している。また、上記水タンク挿入部１１の開口は、蒸気調理器本体１の幅方向において、加熱室１０の開口９に隣接して配置されている。
【００３１】
上記扉２は、コ字状の枠体１５における前方部に固定されている。上記枠体１５の互いに略平行に延在する二つの側方部１８,１９は、蒸気調理器本体１に形成された開口に出し入れ自在で、蒸気調理器本体１に出し入れ可能になっている。このことから、上記扉２は、引出状の構造によって、加熱調理器本体１に対して、加熱調理器本体１の前後方向（奥行き方向）に移動可能になっている。上記扉２は、加熱調理器本体１の前面に密着可能になっている。上記扉２が、加熱調理器本体１の前面に密着した状態で、加熱室１０の矩形状の開口９が、密封されるようになっている。
【００３２】
尚、図１において、参照番号２０は、枠体１５に取り付けられた底板を示し、参照番号２１は、底板２０の上面に形成された凹部を示している。上記底板２０も、側方部１８,１９と同様に、蒸気調理器本体１1に形成された開口に出し入れ自在で、蒸気調理器本体１に出し入れ可能になっている。上記底板２０は、矩形状の上面を有している。また、上記凹部２１は、水を収容するようになっている。上記凹部２１は、底板２０に滴下等した水が飛散することを防止している。詳述しないが、調理用の加熱トレイ（図示せず）が、底板２０の上方に位置しており、加熱室１０に出し入れ自在になっている。
【００３３】
上記給水タンク３は、水タンク挿入部１１に出し入れできるようになっている。上記給水タンク３が、水タンク挿入部１１に装着されている状態で、扉２を、加熱調理器本体１の前面に密着した際、給水タンク３の前面７が、扉２によって、覆われるようになっている。
【００３４】
また、図１に示すように、上記給水タンク３が、水タンク挿入部１１に装着された状態で、給水タンク３の側面と、加熱調理器本体１とは、給水タンク３の出し入れが可能な状態で密に嵌合し、人間の指が入る隙間がないようになっている。また、上記給水タンク３が、水タンク挿入部１１に装着された状態で、給水タンク３の底面と、加熱調理器本体１とも、給水タンク３の出し入れが可能な状態で密に嵌合し、人間の指が入る隙間がないようになっている。ここで、上記給水タンク３が、水タンク挿入部１１に装着された状態で、給水タンク３の側面および底面と、加熱調理器本体１との間には、人間の指が入らない隙間が、存在していても良い。
【００３５】
また、図示はしないが、上記給水タンク３が水タンク挿入部１１に装着された状態で、加熱調理器本体１の前面と、給水タンク３の前面とは、略面一な状態になっている。言い換えると、上記給水タンク３が水タンク挿入部１１に装着された状態で、給水タンク３が、加熱調理器本体１の前方側に突出しないようになっている。
【００３６】
尚、詳述しないが、参照番号４は、ダイヤルを示している。このダイヤル４は、調理の内容等を、選択したり、決定する際に使用するようになっている。また、参照番号５は、液晶表示部を示している。上記液晶表示部５は、例えば、ダイヤル４の操作によって選択された調理メニューを表示するようになっている。
【００３７】
図２は、上記蒸気調理器を上方から見たときの平面図である。
【００３８】
図２に示すように、上記液晶表示部１０８の前面６０と、扉２の液晶表示部１０８側の端部の前面６１とは、扉２を加熱調理器本体１の前面に密着させた状態で、略連続的につながっている。また、上記給水タンク３の側面の移動方向と、枠体の側方部１８の移動方向とは、略平行になっている。
【００３９】
図３は、水タンク挿入部１１に、給水タンク３が挿入された状態における蒸気調理器本体１を、前方側から見たときの模式図である。
【００４０】
図３に示すように、この蒸気調理器は、上記加熱室１０の開口９が、略矩形の形状を有している。また、上記給水タンク３が、水タンク挿入部１１に挿入されている状態で、給水タンク３の側面５５は、加熱調理器本体１の側面５６に略平行になっている。
【００４１】
図４は、給水タンク３を一方の側方側から見たときの図である。
【００４２】
この給水タンク３は、水収容室７５と、接続部７８と、把持部の一例としての開口部７０とを有する。上記水収容室７５には、水が充填されるようになっている。また、上記接続部７８は、蒸気調理器本体１（図１参照）の蒸気発生部（図示せず）に接続されて、水収容室７５に充填されている水を、上記蒸気発生部に案内するようになっている。
【００４３】
上記開口部７０は、矢印Ａで示す、給水タンク３の前方側に位置している。上記開口部７０は、上方に開口７１を有している。また、上記開口部７０は、仕切り板部７９を有している。図４に示すように、上記仕切り板部７９の幅方向の端面８０は、略水平方向に延在している。上記仕切り板部７９は、人が、開口部７０に指の根本側の第２関節を掛けた状態において、仕切り板部７９が、人の指の先端に接触しない程度の深さに形成されている。
【００４４】
図５は、上記給水タンク３を上方から見たときの図である。
【００４５】
図５に示すように、給水タンク３の開口７１は、略矩形の形状をしている。また、上記仕切り板部７９は、開口部７０の底部における、給水タンク３の幅方向の両端部以外の部分を覆っている。上記仕切り板部７９の幅方向の一方側の端面と、開口部７０の側面との間には、前後方向に延在するスリット８４が存在する一方、仕切り板部７９の幅方向の他方側の端面と、開口部７０の側面との間には、前後方向に延在するスリット８５が存在している。スリット８４,８５の夫々の幅は、人の指がスリット８４,８５に嵌りこまない程度の寸法に設定され、例えば、５,６ｍｍ程度の寸法に設定されている。図４および図５に示すように、上記仕切り板部７９は、水収容室７５の前方側の前面９８と、水収容タンク３の前面９９とにつながっている。
【００４６】
図６は、上記給水タンク３を、図４に矢印Ｂで示す後方側から見たときの図である。図６に示すように、上記接続部７８は、円筒外周面を有している。
【００４７】
図７は、給水タンク３を、給水タンク３の前方から見たときの図である。
【００４８】
図７に示すように、開口部７０の内部に存在する仕切り板部７９は、中央から幅方向の端部に行くにしたがって、仕切り板部７９の上面の高さが徐々に低くなっている。すなわち、仕切り板部７９の上面は、幅方向の中央からスリット８５,８５に向けて、下り勾配になっている。
【００４９】
上記構成において、この蒸気調理器は、給水タンク３からの水を、蒸気発生装置（図示せず）に導入して、蒸気発生装置からの水蒸気を蒸気加熱ヒータで加熱して過熱水蒸気にしている。また、そのようにして形成された過熱水蒸気が、図示しない噴出口から、加熱室１０内に向かって噴出するようになっている。尚、上記蒸気発生装置は、例えば、蒸気発生部と、水加熱ヒータと、電磁弁とを有し、上記水加熱ヒータは、蒸気発生部内に設置され、蒸気発生部内に溜まった水を加熱して蒸発させるようになっている。尚、上記水加熱ヒータは、シーズヒータを渦巻状に巻いたもの等で形成されている。
【００５０】
上記実施形態の蒸気調理器によれば、給水タンク３が、給水タンク３の前方かつ上方に、把持部である開口部７０を有し、かつ、給水タンク３が水タンク挿入部１１に装着された状態で、給水タンク３の側面および底面と、加熱調理器本体１との間に、人間の指が入る隙間がないから、蒸気調理器の連続運転において、給水タンク３に水を補充しなければならない状態になったとしても、人が給水タンク３の低部を掴むことがない。したがって、手が、低部にある高熱のトレイや料理に接触する可能性がなく、給水タンク３への水補充時において、手が火傷する可能性がない。
【００５１】
また、上記実施形態の蒸気調理器によれば、手が火傷する心配がないから、火傷の危険性をユーザーに警告する必要がない。したがって、火傷の危険性をユーザーに警告するラベルを省略できるから、製造コストを低減できて、美観も優れたものにすることができる。
【００５２】
また、上記実施形態の蒸気調理器によれば、給水タンク３が水タンク挿入部１１に装着された状態で、蒸気調理器本体１の前面と、給水タンク３の前面とが、略面一な状態であるから、給水タンク３の水タンク挿入部１１への装着時において、給水タンク３の前方部が、蒸気調理器本体１の前方側に突出することがなくて、人が給水タンク３の前方部をつかむことがない。したがって、手の火傷を更に確実に防止することができる。
【００５３】
また、上記実施形態の蒸気調理器によれば、給水タンク３が水タンク挿入部１１に装着された状態で、蒸気理器本体１の前面と、給水タンク３の前面とが、略面一な状態であるから、給水タンク３の前面が、蒸気調理器本体１の前面よりも蒸気調理器本体１の後側にある場合よりも、給水タンク３をつかむことが容易になる。
【００５４】
また、上記実施形態の蒸気調理器によれば、給水タンク３の水タンク挿入部１１への装着時において、給水タンク３の前方部が、蒸気調理器本体１から前方向に突出することがないから、加熱調理器の美観が損なわれることがない。
【００５５】
また、上記実施形態の蒸気調理器によれば、把持部が、給水タンク３の上方に開口する開口部７０であるから、把持部を簡単安価に製造することでき、かつ、給水タンク３をコンパクトに構成することができる。また、給水タンク３をつかむ際に、手の甲が、横を向いたり、下を向くことがなくて、手の甲が上を向いた状態になるから、手の火傷を更に確実に防止することができる。
【００５６】
また、上記実施形態の蒸気調理器によれば、開口部７０内に仕切り板部７９が存在しているから、人が開口部７０に手を挿入したときに、手が、仕切り板部７９よりも下方に嵌り込むことがなく、手の怪我を防止できる。
【００５７】
また、上記実施形態の蒸気調理器によれば、上記仕切り板部７９が、スリット８４,８５に向けて下方に傾斜しているから、開口部７０に入り込んだ水を、スリット８４,８５を通じて、開口部７０の底部側に流出させることができる。したがって、仕切り板部７９の上面に水が存在することがないから、給水タンク３をつかんだ際に、手が水で濡れることを抑制できる。
【００５８】
上記実施形態の蒸気調理器によれば、スリット８４,８５が、給水タンク３の略奥行き方向に延在しているから、スリット８４,８５が、給水タンク３の幅方向に延在している場合と異なり、手がスリット８４,８５に嵌り込む可能性が格段に小さなものになる。したがって、手の怪我を防止できる。
【００５９】
尚、上記実施形態の蒸気調理器では、水タンク挿入部１１が、蒸気調理器本体１の前後方向において、扉２に重なっていたが、水タンク挿入部は、扉に、加熱調理器本体の幅方向に隣接する構成であっても良い。尚、本実施形態では、水タンク挿入部１１が、蒸気調理器本体１の前後方向において、扉２に重なる構成であるから、水タンク挿入部１１が、加熱トレイ等により近い構成になって、本願発明の作用効果が、格別なものになると共に、蒸気調理器の幅方向が小さくなるから、蒸気調理器をコンパクトにすることができる。従来構成では、蒸気調理器の幅方向を小さくしようとすると、手の火傷の危険性が高まるから、蒸気調理器をコンパクトにしにくいという側面があったのであるが、本発明では、このような課題が発生することがないのである。
【００６０】
また、上記実施形態の蒸気調理器では、扉２が、前後方向に引出状に移動して、加熱室１０の開閉を行う構成であったが、この発明では、扉が、鉛直方向に延在する軸を中心軸とする回動を行うことにより、加熱室の開閉を行う構成であっても良い。また、扉が、水平方向に延在する軸を中心軸とする回動を行うことにより、加熱室の開閉を行う構成であっても良い。
【００６１】
また、上記実施形態の蒸気調理器では、給水タンク３が、水タンク挿入部１１に装着された状態で、給水タンク３の前面と、蒸気調理器本体１の前面とが、略面一な状態になっていたが、この発明では、給水タンクが、水タンク挿入部に装着された状態で、給水タンクの前面が、加熱調理器本体の前面よりも、加熱調理器の後側に位置する構成であっても良い。
【００６２】
また、上記実施形態の蒸気調理器では、把持部が、給水タンク３の前側に位置して、上方に開口する開口部７０であったが、この発明では、把持部は、給水タンクの前面の上方に突出する突出段部であっても良く、その突出段部と、加熱調理器本体との間に手を入れる隙間がある構成であっても良い。
【００６３】
また、この発明では、把持部は、以下に示すようなものであっても良い。
【００６４】
図８は、変形例の給水タンクの前方端部１０３を示す図である。尚、図８において、矢印Ｃは、給水タンクの前方端部１０３の前方側を示している。
【００６５】
図８に示すように、この給水タンクの前方端部１０３は、給水タンク１０３の前方端部の前部に、上方に突出する把持部１７０を有する。上記把持部１７０は、鉛直方向に延在する鉛直方向延在部と、その鉛直方向延在部の上方の端部から、給水タンクの後部側に水平方向に延在する水平方向延在部とからなる。この給水タンクは、手を上記水平方向延在部にひっかけることにより、給水タンクを、水タンク挿入部に出し入れすることができるようになっている。尚、図８において、把持部１７０の上方に位置する点線は、加熱調理器本体の存在位置を示す点線である。図８に示すように、上記把持部１７０と、加熱調理器本体との間には、手を挿入できるだけの隙間が存在している。
【００６６】
尚、本発明の加熱調理器は、上記実施形態のような過熱水蒸気を使用するオーブンレンジのみならず、過熱水蒸気を使用しないオーブン、レンジ、オーブンレンジまたはＩＨクッキングヒータ等の加熱調理器であっても良いことは勿論である。また、本発明の加熱調理器は、過熱水蒸気を使用するオーブン、レンジまたはＩＨクッキングヒータ等の加熱調理器であっても良いことも勿論である。
【符号の説明】
【００６７】
１  蒸気調理器本体
２  扉
３  給水タンク
１０  加熱室
１１  水タンク挿入部
７０  開口部
７９  仕切り板部
８４,８５  スリット
１０３  給水タンクの前方端部
１７０  把持部
【図１】
2011085301.tif 000003
【図２】
2011085301.tif 000004
【図３】
2011085301.tif 000005
【図４】
2011085301.tif 000006
【図５】
2011085301.tif 000007
【図６】
2011085301.tif 000008
【図７】
2011085301.tif 000009
【図８】
2011085301.tif 000010